(57)【特許請求の範囲】
【請求項１】
入力電圧に基づいて内部基準電位を基準とする第１補助電圧を生成する第１補助電源部と、
前記入力電圧に基づいて前記内部基準電位を基準とする第２補助電圧を生成すると共に当該入力電圧の遮断状態において当該第２補助電圧を予め規定された保持時間だけしきい値電圧値以上に保持する第２補助電源部と、
前記第２補助電圧で動作して前記入力電圧に前記遮断状態が生じているか否かを示す遮断検出信号を出力する遮断検出部と、
前記第１補助電圧で動作すると共に前記入力電圧に基づいて１種または２種以上の直流出力電圧を生成して当該直流出力電圧に対応する出力端子間に出力するコンバータ部と、
重負荷状態および軽負荷状態のいずれかの負荷状態に移行可能に構成されると共に前記第１補助電源部から前記コンバータ部への前記第１補助電圧の供給ライン間に接続されて、当該重負荷状態に移行させられて前記第１補助電圧の電圧値を前記内部基準電位または当該内部基準電位の近傍電位まで低下させる第１動作を実行する第１アクティブ負荷部と、
重負荷状態および軽負荷状態のいずれかの負荷状態に移行可能に構成されると共に前記出力端子間に接続されて、当該重負荷状態に移行させられて前記直流出力電圧の電圧値をゼロボルトまたはゼロボルト近傍まで低下させる第２動作を実行する第２アクティブ負荷部と、
前記しきい値電圧値以上の前記第２補助電圧で動作して、前記遮断検出信号に基づいて前記遮断状態が前記保持時間未満の予め規定された遮断基準時間以上連続していることを検出したときから当該保持時間の経過前までに電圧低下処理を実行する制御部とを備え、当該制御部は、当該電圧低下処理において、前記第１アクティブ負荷部に前記第１動作を実行させ、前記第２アクティブ負荷部に前記第２動作を実行させ、その後に当該第１アクティブ負荷部および当該第２アクティブ負荷部を前記軽負荷状態に移行させる電源装置。
【請求項２】
前記コンバータ部における前記直流出力電圧についての設計上の出力保持時間の最小値を出力保持時間最小値として規定し、当該直流出力電圧についての仕様上の出力保持時間を前記出力保持時間最小値未満の長さに規定したときに、前記遮断基準時間は、前記仕様上の出力保持時間を超え、かつ前記出力保持時間最小値未満の長さに規定されている請求項１記載の電源装置。
【請求項３】
前記制御部は、前記第１アクティブ負荷部に前記第１動作を実行させると共に前記コンバータ部が前記直流出力電圧の生成を停止する停止状態であるか否かを検出し、当該停止状態を検出したときに前記第２アクティブ負荷部に前記第２動作を実行させる請求項１または２記載の電源装置。
【請求項４】
前記コンバータ部は、前記制御部によって制御されて、前記直流出力電圧の生成を停止する停止状態および前記直流出力電圧を生成する動作状態のいずれかの状態に移行可能に構成され、
前記制御部は、前記第２アクティブ負荷部に前記第２動作を実行させる際に前記コンバータ部を前記停止状態に移行させる請求項１または２記載の電源装置。
【請求項５】
前記第１補助電源部は、前記制御部によって制御されて、前記第１補助電圧を生成する動作状態および当該第１補助電圧の生成を停止する停止状態のいずれかの状態に移行可能に構成され、
前記制御部は、前記第１アクティブ負荷部に前記第１動作を実行させる際に前記第１補助電源部を前記停止状態に移行させる請求項１から４のいずれかに記載の電源装置。
【発明の詳細な説明】
【技術分野】
【０００１】
本発明は、入力電圧が規定時間以上遮断されたときに直流出力電圧を一度ゼロボルト（またはゼロボルト近傍）まで短時間で低下させる機能を備えた電源装置に関するものである。
【背景技術】
【０００２】
この種の電源装置として、下記の特許文献１に開示された電源装置が知られている。この電源装置は、１次側に入力される直流電圧を変換して２次側から直流電圧（直流出力電圧）を出力する出力手段と、出力手段により出力された２次側からの直流電圧を安定させるためのコンデンサとを備え、出力手段により出力される２次側からの直流電圧で動作する負荷の全部又は一部の動作を停止させて消費電力を低減する省電力モードで動作可能な電源装置であって、商用電源からの電力供給が遮断されたことを検出する検出手段と、コンデンサの放電を行うための放電用負荷と、省電力モードで動作している際に、検出手段により電力供給が遮断されたことを検出した場合に、放電用負荷を動作させるように制御する制御手段とを備えている。具体的には、放電用負荷は、出力手段による２次側の直流電圧の出力とグランドの間に、オンとオフの切り換えが可能な切換素子と直列に接続された抵抗であり、制御手段は、検出手段により電力供給が遮断されたことを検出した場合に、切換素子をオンに切り換えることで、コンデンサを放電させる。
【０００３】
この構成により、この電源装置では、電源からの電力供給が遮断された場合において平滑コンデンサの放電を速やかに行うことができるため、２次側から出力していた直流電圧をゼロボルト（またはゼロボルト近傍）まで短時間で低下させることができ、このため、電源オフ後すぐにユーザが増設メモリ等のオプション装置を脱着する作業を行っても、オプション装置や装置本体を破壊しないようにすることが可能となっている。
【０００４】
また、この電源装置から供給される直流電圧で動作する電子機器装置は、電源装置が電力供給が遮断されたことを検出して平滑コンデンサを放電した場合には、この電源装置から供給されている作動用の直流電圧が遮断される（ゼロボルトまたはゼロボルト近傍の電圧（ほぼゼロボルト）になる）ことから、停止状態に移行する。また、その後に、電源装置への電力供給が開始されたときには、動作を再開した電源装置から直流電圧が電子機器装置に供給されるため、電子機器装置は再起動して作動状態に移行する。
【先行技術文献】
【特許文献】
【０００５】
【特許文献１】特開２０１２−７８４５８号公報（第７−８頁、第５−６図）
【発明の概要】
【発明が解決しようとする課題】
【０００６】
ところで、上記の電源装置からの直流電圧で動作する電子機器装置のユーザ側には、電源装置への電力供給（入力電圧）の遮断の要因に拘わらず（遮断の要因が、コンセントが抜かれたこと、電源スイッチがオフされたこと、および電源に瞬停などの異常が生じたことのいずれの場合であっても）、電源装置が直流電圧の出力を再開する際には、常に同じ出力開始特性（例えば、電圧がほぼゼロボルトの状態を規定時間以上維持した状態で電圧が上昇を始めたり、その後の電圧の立ち上がり時間がほぼ同じ時間となるという特性）で直流電圧を出力し始めるようにして欲しいという要望がある。その理由としては、電力供給の遮断の要因毎に直流電圧の出力開始特性に変化が生じる場合には、電子機器装置での起動シーケンスに異常を来すおそれがあり、これにより、電子機器装置に動作不良や誤動作が生じる場合があるからである。
【０００７】
しかしながら、上記の構成の電源装置では、電力供給の遮断を検出した際に、直流電圧（上記の特許文献１でのＤＣ／ＤＣコンバータから電子機器装置（この装置のコントロールユニットなど）に出力される電圧）については、上記したように切換素子をオンに切り換えて、この直流電圧の供給ライン間に配置された直流電圧安定化用のコンデンサを強制的に短時間で放電させることで、電力供給が再開される前にほぼゼロボルトの状態に確実に移行させるようにしているが、例えば、電源装置内において生成される他の直流電圧（上記の特許文献１での上記のＤＣ／ＤＣコンバータの前段に配設された他のＤＣ／ＤＣコンバータで生成されて上記のＤＣ／ＤＣコンバータの作動用電圧となっている電圧）を安定化させるための他のコンデンサについては強制的に放電させる構成を採用していない。
【０００８】
このため、この電源装置には、電力供給（入力電圧）の遮断の要因によっては（具体的には、この要因の発生によって生じる遮断時間の長さによっては）、上記の他の直流電圧が、電力供給が再開される前までにほぼゼロボルトの状態に移行せずに、電力供給の再開によって再度上昇するという状態が発生することがある。また、この電源装置には、このように上記の他の直流電圧がゼロボルトの状態に移行しないで再度上昇するという状態のときには、この他の直流電圧で動作するＤＣ／ＤＣコンバータで生成される電圧についても、他の直流電圧がゼロボルトに移行してから再度上昇するときと比較して、より短時間に立ち上がる（つまり、出力開始特性に変化が生じる）。したがって、この電源装置には、電力供給の遮断により、直流電圧を供給する電子機器装置に動作不良や誤動作を生じさせるおそれがあるという解決すべき課題が存在している。
【０００９】
本発明は、かかる課題を解決するためになされたものであり、入力電圧が遮断された場合に、直流出力電圧を供給する電子機器装置での動作不良や誤動作の発生を防止し得る電源装置を提供することを主目的とする。
【課題を解決するための手段】
【００１０】
上記目的を達成すべく、本発明に係る電源装置は、入力電圧に基づいて内部基準電位を基準とする第１補助電圧を生成する第１補助電源部と、前記入力電圧に基づいて前記内部基準電位を基準とする第２補助電圧を生成すると共に当該入力電圧の遮断状態において当該第２補助電圧を予め規定された保持時間だけしきい値電圧値以上に保持する第２補助電源部と、前記第２補助電圧で動作して前記入力電圧に前記遮断状態が生じているか否かを示す遮断検出信号を出力する遮断検出部と、前記第１補助電圧で動作すると共に前記入力電圧に基づいて１種または２種以上の直流出力電圧を生成して当該直流出力電圧に対応する出力端子間に出力するコンバータ部と、重負荷状態および軽負荷状態のいずれかの負荷状態に移行可能に構成されると共に前記第１補助電源部から前記コンバータ部への前記第１補助電圧の供給ライン間に接続されて、当該重負荷状態に移行させられて前記第１補助電圧の電圧値を前記内部基準電位または当該内部基準電位の近傍電位まで低下させる第１動作を実行する第１アクティブ負荷部と、重負荷状態および軽負荷状態のいずれかの負荷状態に移行可能に構成されると共に前記出力端子間に接続されて、当該重負荷状態に移行させられて前記直流出力電圧の電圧値をゼロボルトまたはゼロボルト近傍まで低下させる第２動作を実行する第２アクティブ負荷部と、前記しきい値電圧値以上の前記第２補助電圧で動作して、前記遮断検出信号に基づいて前記遮断状態が前記保持時間未満の予め規定された遮断基準時間以上連続していることを検出したときから当該保持時間の経過前までに電圧低下処理を実行する制御部とを備え、当該制御部は、当該電圧低下処理において、前記第１アクティブ負荷部に前記第１動作を実行させ、前記第２アクティブ負荷部に前記第２動作を実行させ、その後に当該第１アクティブ負荷部および当該第２アクティブ負荷部を前記軽負荷状態に移行させる。
【００１１】
また、本発明に係る電源装置は、前記コンバータ部における前記直流出力電圧についての設計上の出力保持時間の最小値を出力保持時間最小値として規定し、当該直流出力電圧についての仕様上の出力保持時間を前記出力保持時間最小値未満の長さに規定したときに、前記遮断基準時間は、前記仕様上の出力保持時間を超え、かつ前記出力保持時間最小値未満の長さに規定されている。
【００１２】
また、本発明に係る電源装置は、前記制御部は、前記第１アクティブ負荷部に前記第１動作を実行させると共に前記コンバータ部が前記直流出力電圧の生成を停止する停止状態であるか否かを検出し、当該停止状態を検出したときに前記第２アクティブ負荷部に前記第２動作を実行させる。
【００１３】
また、本発明に係る電源装置は、前記コンバータ部は、前記制御部によって制御されて、前記直流出力電圧の生成を停止する停止状態および前記直流出力電圧を生成する動作状態のいずれかの状態に移行可能に構成され、前記制御部は、前記第２アクティブ負荷部に前記第２動作を実行させる際に前記コンバータ部を前記停止状態に移行させる。
【００１４】
また、本発明に係る電源装置は、前記第１補助電源部は、前記制御部によって制御されて、前記第１補助電圧を生成する動作状態および当該第１補助電圧の生成を停止する停止状態のいずれかの状態に移行可能に構成され、前記制御部は、前記第１アクティブ負荷部に前記第１動作を実行させる際に前記第１補助電源部を前記停止状態に移行させる。
【発明の効果】
【００１５】
本発明の電源装置では、直流出力電圧をゼロボルトまたはゼロボルト近傍まで低下させる第２動作を実行する第２アクティブ負荷部と共に、コンバータ部を動作させるための第１補助電圧の電圧値を内部基準電位または内部基準電位の近傍電位まで低下させる第１動作を実行する第１アクティブ負荷部を備え、遮断状態が遮断基準時間以上連続していることを検出した時点から、出力保持時間内（仮に第１アクティブ負荷部の第１動作、および第２アクティブ負荷部の第２動作が無い場合に、直流出力電圧を定格電圧範囲に維持することが可能な時間を電源装置における出力保持時間という）に、制御部が電圧低下処理として、第１アクティブ負荷部に第１動作を実行させて、第１補助電圧の電圧値を内部基準電位または内部基準電位の近傍電位まで低下させ、その後に第２アクティブ負荷部に第２動作を実行させて、直流出力電圧をゼロボルトまたはゼロボルト近傍まで低下させる。この電圧低下処理は、この処理の実行中に入力電圧の復電があっても、第１補助電圧を内部基準電位または内部基準電位の近傍電位まで低下させ、かつ直流出力電圧をゼロボルトまたはゼロボルト近傍まで低下させるまで一定時間継続される。制御部は、その後に第１アクティブ負荷部および第２アクティブ負荷部を軽負荷状態に移行させる。
【００１６】
この場合、コンバータ部における直流出力電圧についての設計上の出力保持時間の最小値を出力保持時間最小値として規定し、この直流出力電圧についての仕様上の出力保持時間を出力保持時間最小値未満の長さに規定したときに、遮断基準時間は、仕様上の出力保持時間を超え、かつ出力保持時間最小値未満の長さに規定されている。
【００１７】
したがって、この電源装置によれば、遮断基準時間以上の遮断が入力電圧に発生した場合に、直流出力電圧を確実にゼロボルトまたはゼロボルト近傍まで一度低下させ（直流出力電圧の低下途中に入力電圧が復電したときにもゼロボルトまたはゼロボルト近傍まで低下させ）、その後の入力電圧の復電時において、入力電圧の初期投入時のときと同じ出力開始特性で直流出力電圧の出力を開始させることができる。これにより、直流出力電圧についての出力保持時間を超える長さの遮断が入力電圧に発生した場合に、従来の電源装置では、直流出力電圧が定格電圧値範囲を一旦下回る状態となった後に、ゼロボルトまたはゼロボルト近傍まで低下することなく中途半端な電圧値から再度定格電圧値範囲に復帰するという事態（ディップ）が発生する場合があったのに対して、この電源装置によれば、このような事態の発生を回避することができる。このため、電源装置から直流出力電圧の供給を受けて動作する電子機器装置などがディップの発生に起因して動作不良や誤動作を発生するといった事態の発生を確実に防止することができる。
【００１８】
また、本発明の電源装置によれば、制御部がコンバータ部の停止状態への移行を検出した後に第２アクティブ負荷部に第２動作を実行させる（重負荷状態に移行させる）構成を採用したことにより、コンバータ部が直流出力電圧の出力を停止する前に第２アクティブ負荷部が重負荷状態に移行するといった事態の発生を確実に回避することができる。このため、上記の効果に加えて、第２アクティブ負荷部での消費電力を抑えつつ、直流出力電圧の電圧値をより短時間にゼロボルトに低下させることができる。
【００１９】
また、本発明の電源装置によれば、制御部が、第２アクティブ負荷部に第２動作を実行させる（重負荷状態に移行させる）際に、コンバータ部に対して直流生成動作を強制的に停止させる（コンバータ部を停止状態に移行させる）構成を採用したことにより、第１補助電圧の電圧値の低下によってコンバータ部が停止状態に移行する前の段階においてもコンバータ部を停止状態に移行させることができるため、より早い時点で第２アクティブ負荷部に第２動作を実行させる（重負荷状態に移行させる）ことができる結果、第２直流出力電圧の電圧値をより短時間にゼロボルトに低下させることができる。
【００２０】
また、本発明の電源装置によれば、制御部が、第１アクティブ負荷部に第１動作を実行させる（重負荷状態に移行させる）際に、第１補助電源部に対して第１補助電圧の生成動作を強制的に停止させる（第１補助電源部を停止状態に移行させる）構成を採用することにより、第１補助電源部に対して第１補助電圧の生成動作を停止させた後に第１アクティブ負荷部に第１動作を実行させる（重負荷状態に移行させる）ことができることから、第１補助電源部や第１アクティブ負荷部での消費電力を抑えつつ、第１補助電圧をより短時間に内部基準電位または内部基準電位の近傍電位まで低下させることができる。
【図面の簡単な説明】
【００２１】
【図１】電源装置１の構成図である。
【図２】電源装置１の動作を説明するための波形図である。
【図３】遮断監視処理５０を説明するためのタイミングチャートである。
【図４】図３中の電圧低下処理６０を説明するためのタイミングチャートである。
【図５】図３中の電圧低下処理６０の他の例を説明するためのタイミングチャートである。
【発明を実施するための形態】
【００２２】
以下、電源装置の実施の形態について、図面を参照しつつ説明する。
【００２３】
電源装置の一例としての電源装置１は、図１に示すように、入力端子２、出力端子３，４、第１補助電源部５、第２補助電源部６、遮断検出部７、制御部８、コンバータ部９、平滑コンデンサ１０，１１，１２およびアクティブ負荷部１３，１４，１５を備え、入力端子２から入力される入力電圧Ｖｉに基づいて１種または２種以上の直流出力電圧（本例では一例として２種の直流出力電圧Ｖｏ１，Ｖｏ２（例えば、ＤＣ５Ｖ，ＤＣ１２Ｖなど））を生成して、この直流出力電圧Ｖｏ１，Ｖｏ２を対応する出力端子３，４に出力する。入力電圧Ｖｉは、直流電圧および交流電圧のいずれであってもよいが、本例では交流電圧（例えば、ＡＣ１００Ｖで６０Ｈｚの商用交流）として入力される。このため、本例の電源装置１は整流平滑部１６を備え、この整流平滑部１６が交流電圧としての入力電圧Ｖｉを整流平滑して直流電圧Ｖｄｃに変換して、電源装置１の内部に供給する。なお、入力電圧Ｖｉが直流電圧として入力される構成のときには、整流平滑部１６は不要なため省略される。この場合、入力電圧Ｖｉは、そのまま直流電圧Ｖｄｃとして電源装置１の内部に供給される。
【００２４】
第１補助電源部５は、例えば、スイッチング方式やシリーズ方式の電源で構成されて、入力電圧Ｖｉに基づいて（具体的には、本例では入力電圧Ｖｉから生成される直流電圧Ｖｄｃに基づいているが、コンバータ部９内のトランスの補助巻線にスイッチング時に誘起する電圧に基づいてもよい）、内部基準電位（内部グランドＧの電位（電源装置１内のゼロボルト））を基準とする第１補助電圧Ｖｃｃ１を生成し、第１補助電圧Ｖｃｃ１用の一対の供給ラインＬ１ａ，Ｌ１ｂを介してコンバータ部９に出力する。
【００２５】
第２補助電源部６は、例えば、スイッチング方式やシリーズ方式の電源で構成されて、入力電圧Ｖｉに基づいて（具体的には、本例では入力電圧Ｖｉから生成される直流電圧Ｖｄｃに基づいて）、内部基準電位（内部グランドＧの電位）を基準とする第２補助電圧Ｖｃｃ２を生成して遮断検出部７および制御部８に出力する。また、第２補助電源部６は、入力電圧Ｖｉの遮断状態において、第２補助電圧Ｖｃｃ２を少なくとも制御部８が後述の遮断監視処理５０（図３参照）を実行して直流出力電圧Ｖｏ１，Ｖｏ２をゼロボルトまたはゼロボルト近傍まで低下させる（つまり、直流出力電圧Ｖｏ１，Ｖｏ２の低下が完了する）まで、しきい値電圧値Ｖｔｈ以上に保持することが可能となっている。この場合、入力電圧Ｖｉの遮断状態において、直流電圧Ｖｄｃが整流平滑部１６を構成する不図示のコンデンサや第２補助電源部６の入力段に配設された不図示の入力コンデンサによって上記のように直流出力電圧Ｖｏ１，Ｖｏ２の低下が完了するまで保持されることで、第２補助電圧Ｖｃｃ２が少なくともこの直流出力電圧Ｖｏ１，Ｖｏ２の低下が完了するまではしきい値電圧値Ｖｔｈ以上に保持される構成としてもよいし、第２補助電源部６の出力段に配設された不図示の出力コンデンサによって第２補助電圧Ｖｃｃ２が少なくともこの直流出力電圧Ｖｏ１，Ｖｏ２の低下が完了するまではしきい値電圧値Ｖｔｈ以上に保持される構成としてもよい。
【００２６】
遮断検出部７は、第２補助電圧Ｖｃｃ２で動作すると共に、入力電圧Ｖｉに遮断状態が生じているか否かを示す遮断検出信号Ｓ１（本例では、遮断検出信号Ｓ１は遮断状態が生じていることを示す信号）を出力する。この場合、遮断とは、入力電圧Ｖｉが交流電圧のときには、例えば、正側および負側のいずれかの半周期分の波形が欠落した状態となることをいい、入力電圧Ｖｉが直流電圧のとき（入力電圧Ｖｉが直流電圧Ｖｄｃとして入力されるとき）には、例えば、その電圧値が予め規定された入力電圧Ｖｉについてのしきい値電圧値以下に低下した状態となることをいう。したがって、遮断検出部７は、入力電圧Ｖｉが交流電圧のときには、その半周期分の波形が欠落した状態となったことを検出したときに遮断検出信号Ｓ１の出力を開始し、その後、半周期分の波形の欠落状態が解消されるまで（正側および負側のいずれかの半周期分の波形が正常に出力されるまで）遮断検出信号Ｓ１の出力を続行する。また、遮断検出部７は、入力電圧Ｖｉが直流電圧のときには、その電圧値がしきい値電圧値以下に低下したことを検出したときに遮断検出信号Ｓ１の出力を開始し、その後、その電圧値がしきい値電圧値を超えるまで遮断検出信号Ｓ１の出力を続行する。
【００２７】
制御部８は、例えばＣＰＵやＤＳＰ（Digital Signal Processor）などで構成されると共に第２補助電圧Ｖｃｃ２で動作して（第２補助電圧Ｖｃｃ２が上記したしきい値電圧値Ｖｔｈ以上のときに動作状態に移行して）、遮断監視処理５０（図３参照）を実行する。具体的には、遮断監視処理５０では、制御部８は、入力電圧Ｖｉが予め規定された遮断基準時間ｔｒｅｆ以上連続して遮断されていることを遮断検出信号Ｓ１に基づいて検出したときに、第１アクティブ負荷部としてのアクティブ負荷部１３に対して制御信号Ｓｓ１を出力し、一方、入力電圧Ｖｉの復電（入力電圧Ｖｉの遮断が解除されたこと）を遮断検出信号Ｓ１に基づいて検出したときに制御信号Ｓｓ１の出力を停止する。制御部８がこの制御信号Ｓｓ１を出力する時間幅の最小値は、予めリセット時間ｔｒｓ１ｍｉｎとして規定されている。これにより、制御部８は、入力電圧Ｖｉの遮断を検出して制御信号Ｓｓ１の出力を一旦開始したときには、例えこのリセット時間ｔｒｓ１ｍｉｎ内に入力電圧Ｖｉが復電したとしても、リセット時間ｔｒｓ１ｍｉｎが経過するまで制御信号Ｓｓ１の出力を継続して、後述するように通常動作の状態（軽負荷状態）から重い負荷となる状態（重負荷状態）に移行させたアクティブ負荷部１３をこの重負荷状態に維持することで、第１補助電源部５からコンバータ部９に出力されている第１補助電圧Ｖｃｃ１をリセット時間ｔｒｓ１ｍｉｎ内に内部基準電位または内部基準電位の近傍電位まで低下させる第１動作をアクティブ負荷部１３に対して実行させる。また、この遮断監視処理５０では、制御部８は、第２アクティブ負荷部としてのアクティブ負荷部１４，１５に対しても制御信号Ｓｓ１と同じロジックで制御信号Ｓｓ２，Ｓｓ３を生成して出力する。制御部８がこの制御信号Ｓｓ２，Ｓｓ３を出力する時間幅の最小値も、予めリセット時間ｔｒｓ２ｍｉｎとして規定されている。これにより、制御部８は、入力電圧Ｖｉの遮断を検出して制御信号Ｓｓ２，Ｓｓ３の出力を一旦開始したときには、例えこのリセット時間ｔｒｓ２ｍｉｎ内に入力電圧Ｖｉが復電したとしても、リセット時間ｔｒｓ２ｍｉｎが経過するまで制御信号Ｓｓ２，Ｓｓ３の出力を継続して、電源装置１の負荷が極めて軽い状態であっても、後述するように通常動作の状態（軽負荷状態）から重い負荷となる状態（重負荷状態）に移行させたアクティブ負荷部１４，１５をこの重負荷状態に維持することで、電源装置１のコンバータ部９から負荷に出力されている直流出力電圧Ｖｏ１，Ｖｏ２をリセット時間ｔｒｓ２ｍｉｎ内にゼロボルトまたはゼロボルト近傍まで低下させる第２動作をアクティブ負荷部１４，１５に対して実行させる。
【００２８】
また、制御部８は、起動してから入力電圧Ｖｉが遮断基準時間ｔｒｅｆ以上連続して遮断されていることを検出するまでの間や、各リセット時間ｔｒｓ１，ｔｒｓ２の経過後から次の遮断検出信号Ｓ１に基づき入力電圧Ｖｉが遮断基準時間ｔｒｅｆ以上連続して遮断されていることを検出するまでの間は、各制御信号Ｓｓ１，Ｓｓ２，Ｓｓ３の出力を停止する。また、制御部８は、第２補助電圧Ｖｃｃ２がしきい値電圧値Ｖｔｈ未満となって非動作状態（停止状態）に移行したときには、各制御信号Ｓｓ１，Ｓｓ２，Ｓｓ３の出力を停止するように構成されている。
【００２９】
コンバータ部９は、一例として図１に示すように、１または２以上のＤＣ／ＤＣコンバータ回路２１（本例では一例として、２つのＤＣ／ＤＣコンバータ回路（単にコンバータ回路ともいう）２１ａ，２１ｂ。特に区別しないときにはコンバータ回路２１ともいう）と、各コンバータ回路２１の直流生成動作を制御するスイッチ制御回路２２とを備えている。この場合、各コンバータ回路２１は、絶縁トランスを含まない非絶縁型のコンバータ回路として構成されていてもよいし、絶縁トランスを含む絶縁型のコンバータ回路として構成されていてもよい。
【００３０】
コンバータ回路２１ａは、スイッチング素子２３ａを含んで構成されると共に第１補助電圧Ｖｃｃ１で動作して、直流電圧Ｖｄｃに基づいて直流出力電圧Ｖｏ１を生成して出力端子３ａ，３ｂ間に出力する。また、コンバータ回路２１ｂは、スイッチング素子２３ｂを含んで構成されると共に第１補助電圧Ｖｃｃ１で動作して、直流電圧Ｖｄｃに基づいて直流出力電圧Ｖｏ２を生成して出力端子４ａ，４ｂ間に出力する。スイッチ制御回路２２は、例えば、各直流出力電圧Ｖｏ１，Ｖｏ２の電圧値を検出する不図示の検出回路を含んで構成されると共に第１補助電圧Ｖｃｃ１で動作して、検出した各直流出力電圧Ｖｏ１，Ｖｏ２の電圧値に基づいて各スイッチング素子２３ａ，２３ｂへの駆動信号Ｓｄａ，Ｓｄｂのデューティ比を制御して各コンバータ回路２１の直流生成動作を制御することにより、規定の電圧値で各直流出力電圧Ｖｏ１，Ｖｏ２を各コンバータ回路２１に生成させる。また、コンバータ部９の各コンバータ回路２１およびスイッチ制御回路２２は、第１補助電圧Ｖｃｃ１の電圧値がリセット電圧値Ｖｒｓｔ以上のときに上記のように動作する動作状態に移行し、リセット電圧値Ｖｒｓｔ未満のときには上記の動作（直流生成動作を含む）を停止する停止状態に移行する。
【００３１】
平滑コンデンサ１０は、図１に示すように、第１補助電源部５からコンバータ部９に出力される第１補助電圧Ｖｃｃ１の供給ラインＬ１ａ，Ｌ１ｂ間に接続されて、第１補助電圧Ｖｃｃ１の電圧値を安定化させるリザーブコンデンサとして機能する。また、平滑コンデンサ１１は、直流出力電圧Ｖｏ１が出力される出力端子３ａ，３ｂ間に接続されて、直流出力電圧Ｖｏ１の電圧値を安定化させるリザーブコンデンサとして機能し、平滑コンデンサ１２は、直流出力電圧Ｖｏ２が出力される出力端子４ａ，４ｂ間に接続されて、直流出力電圧Ｖｏ２の電圧値を安定化させるリザーブコンデンサとして機能する。
【００３２】
アクティブ負荷部１３は、図１に示すように、負荷１３ａ（具体的には抵抗１３ａ）とスイッチ１３ｂ（リレーや、バイポーラ型トランジスタおよび電界効果型トランジスタなどの半導体スイッチ素子などで構成されたスイッチ）とが直列接続されて構成されて、第１補助電圧Ｖｃｃ１の供給ラインＬ１ａ，Ｌ１ｂ間に接続されている（つまり、平滑コンデンサ１０と並列に接続されている）。このアクティブ負荷部１３は、スイッチ１３ｂのオン・オフ状態が制御部８によって制御（具体的には制御部８から出力される制御信号Ｓｓ１で制御）されることにより、第１補助電圧Ｖｃｃ１の供給ラインＬ１ａ，Ｌ１ｂ間に存在する容量成分（平滑コンデンサ１０を含む）に対するアクティブ負荷（スイッチ１３ｂがオン状態のときには重負荷状態（容量成分に対して重い負荷）となり、スイッチ１３ｂがオフ状態のときには通常動作の負荷状態（容量成分に対して極めて軽い負荷（軽負荷状態））となる負荷）として機能する。この構成により、アクティブ負荷部１３は、制御部８によってスイッチ１３ｂがオン状態に制御されたときに重負荷状態に移行させられて、第１補助電圧Ｖｃｃ１の供給ラインＬ１ａ，Ｌ１ｂ間に存在する容量成分に充電されている電荷を抵抗１３ａで急速に放電させて第１補助電圧Ｖｃｃ１の電圧値を内部基準電位または内部基準電位の近傍電位まで短時間で低下させる第１動作を実行することが可能となり、一方、制御部８によってスイッチ１３ｂがオフ状態に制御されたときには通常動作の負荷状態（軽負荷状態）に移行させられて（第１動作の実行を停止して）、第１補助電圧Ｖｃｃ１によるこの容量成分への充電を可能とする。
【００３３】
アクティブ負荷部１４は、出力端子３ａ，３ｂ間に出力負荷（直流出力電圧Ｖｏ１の供給を受ける外部の負荷）が接続されていない状態（無負荷状態）または不図示の極めて軽い出力負荷が接続されている状態であっても、図１に示すように、アクティブ負荷部１３と同様にして、負荷１４ａ（具体的には抵抗１４ａ）とスイッチ１４ｂとが直列接続されたアクティブ負荷として構成されて、出力端子３ａ，３ｂ間に接続されている（つまり、平滑コンデンサ１１と並列に接続されている）。このアクティブ負荷部１４も、制御部８によってスイッチ１４ｂがオン状態に制御されたときに重負荷状態に移行させられて、出力端子３ａ，３ｂ間に存在する容量成分（平滑コンデンサ１１を含む）に充電されている電荷を抵抗１４ａで急速に放電させて直流出力電圧Ｖｏ１の電圧値をゼロボルトまたはゼロボルト近傍まで短時間で低下させる第２動作を実行することが可能となり、一方、制御部８によってスイッチ１４ｂがオフ状態に制御されたときには軽負荷状態に移行させられて（第２動作の実行を停止して）、直流出力電圧Ｖｏ１によるこの容量成分への充電を可能とする。
【００３４】
アクティブ負荷部１５は、出力端子４ａ，４ｂ間に出力負荷（直流出力電圧Ｖｏ２の供給を受ける外部の負荷）が接続されていない状態（無負荷状態）または不図示の極めて軽い出力負荷が接続されている状態であっても、図１に示すように、アクティブ負荷部１３と同様にして、負荷１５ａ（具体的には抵抗１５ａ）とスイッチ１５ｂとが直列接続されたアクティブ負荷として構成されて、出力端子４ａ，４ｂ間に接続されている（つまり、平滑コンデンサ１２と並列に接続されている）。このアクティブ負荷部１５も、制御部８によってスイッチ１５ｂがオン状態に制御されたときに重負荷状態に移行させられて、出力端子４ａ，４ｂ間に存在する容量成分（平滑コンデンサ１２を含む）に充電されている電荷を抵抗１５ａで急速に放電させて直流出力電圧Ｖｏ２の電圧値をゼロボルトまたはゼロボルト近傍まで短時間で低下させる第２動作を実行することが可能となり、一方、制御部８によってスイッチ１５ｂがオフ状態に制御されたときには軽負荷状態に移行させられて（第２動作の実行を停止して）、直流出力電圧Ｖｏ２によるこの容量成分への充電を可能とする。
【００３５】
続いて、電源装置１の動作について、図１〜図３を参照しつつ説明する。なお、入力端子２は入力電圧Ｖｉの供給ライン（不図示）に接続され、各出力端子３，４には、直流出力電圧Ｖｏ１，Ｖｏ２の供給を受けて作動する電子機器装置や電子回路などが出力負荷として接続されているものとする。
【００３６】
まず、図２に示すように、入力電圧Ｖｉの供給ラインに配設された不図示の電源スイッチが操作されることによって入力が投入される（入力端子２への入力電圧Ｖｉの供給が開始される）と、電源装置１では、整流平滑部１６が入力電圧Ｖｉを整流平滑して直流電圧Ｖｄｃに変換すると共に出力する動作を開始することから、第１補助電源部５、第２補助電源部６およびコンバータ部９に直流電圧Ｖｄｃが供給される。
【００３７】
これにより、第２補助電源部６は、直流電圧Ｖｄｃに基づく第２補助電圧Ｖｃｃ２の生成、並びに遮断検出部７および制御部８への出力を開始する。この結果、遮断検出部７は、入力電圧Ｖｉに遮断状態が生じているか否かの検出を開始する。また、第１補助電源部５は、直流電圧Ｖｄｃに基づく第１補助電圧Ｖｃｃ１の生成およびコンバータ部９への出力を開始する。この入力の投入の時点では、入力電圧Ｖｉには遮断状態が生じていないため、遮断検出部７は遮断検出信号Ｓ１の出力を開始していない。また、遮断検出部７は、図２に示すように、入力電圧Ｖｉが遮断されその後に復電するまでの遮断期間Ｔ１，Ｔ２については、遮断期間の開始直後において入力電圧Ｖｉの遮断を検出したときから、遮断期間の終了直後において入力電圧Ｖｉの復電を検出したときまで遮断検出信号Ｓ１を出力する。
【００３８】
また、制御部８は、第２補助電圧Ｖｃｃ２がゼロボルトから立ち上がり、その後に電圧値がしきい値電圧値Ｖｔｈ以上になることから、非動作状態から動作状態に移行して、図３に示す遮断監視処理５０を開始する。なお、入力電圧Ｖｉの投入の時点では、上記のように、遮断検出部７からの遮断検出信号Ｓ１の出力は無い。このため、制御部８は、各制御信号Ｓｓ１，Ｓｓ２，Ｓｓ３を出力していない。
【００３９】
また、このように制御信号Ｓｓ１が出力されていないため、アクティブ負荷部１３が軽負荷状態にあることから、第１補助電源部５から出力される第１補助電圧Ｖｃｃ１によって供給ラインＬ１ａ，Ｌ１ｂ間に存在する容量成分（平滑コンデンサ１０を含む）が充電されることにより、この第１補助電圧Ｖｃｃ１も第２補助電圧Ｖｃｃ２と同様にしてゼロボルトから立ち上がる。そして、この第１補助電圧Ｖｃｃ１の電圧値がコンバータ部９についてのリセット電圧値Ｖｒｓｔを超えた時点で、コンバータ部９では、各コンバータ回路２１およびスイッチ制御回路２２が直流生成動作を開始する。この状態において、制御部８は各アクティブ負荷部１４，１５に制御信号Ｓｓ２，Ｓｓ３を出力していないため、各アクティブ負荷部１４，１５は軽負荷状態にある。これにより、コンバータ回路２１ａから出力端子３ａ，３ｂ間に出力される直流出力電圧Ｖｏ１、およびコンバータ回路２１ｂから出力端子４ａ，４ｂ間に出力される直流出力電圧Ｖｏ２は、対応する平滑コンデンサ１１，２１を充電しつつゼロボルトから立ち上がり、その後に、コンバータ回路２１ａ，２１ｂによって規定の電圧値に維持される。したがって、各直流出力電圧Ｖｏ１，Ｖｏ２は、定電圧として各出力端子３，４に接続されている電子機器装置や電子回路などの出力負荷に供給される。
【００４０】
制御部８は、遮断監視処理５０において、図３に示すように、まず、遮断検出部７からの遮断検出信号Ｓ１の出力の有無を検出（すなわち、遮断検出部７を介して入力電圧Ｖｉの状態をモニタ）しつつ（ステップ５１）、遮断検出信号Ｓ１の出力開始を検出したとき（入力電圧Ｖｉの遮断開始を検出したとき）には、遮断検出信号Ｓ１のこの検出タイミングを時間ゼロとして遮断時間ｔ１の計測を開始する（ステップ５２）。
【００４１】
次いで、制御部８は、計測している遮断時間ｔ１が予め規定された遮断基準時間ｔｒｅｆに達したか否かの判定を行う処理（ステップ５３）と、この処理において遮断時間ｔ１が遮断基準時間ｔｒｅｆに達していないと判定したときに、遮断検出信号Ｓ１の出力が停止したか否か（つまり、入力電圧Ｖｉが復電したか否か）を検出する処理（ステップ５４）とを繰り返し実行する。
【００４２】
この状態において、図２に示す遮断期間Ｔ１のときのように、計測している遮断時間ｔ１が遮断基準時間ｔｒｅｆに達する前（遮断検出信号Ｓ１の出力時間が遮断基準時間ｔｒｅｆに達する前）に、入力電圧Ｖｉが復電したとき（この遮断期間Ｔ１が終了したとき）には、制御部８は、ステップ５４において遮断検出信号Ｓ１の出力の停止を検出して、遮断時間ｔ１の計測を停止すると共に計測していた遮断時間ｔ１をリセットして（ステップ５５）、ステップ５１に戻り、遮断監視処理５０を再開する。
【００４３】
この電源装置１では、この遮断基準時間ｔｒｅｆについては、例えば図２に示すように、電源装置１の各直流出力電圧Ｖｏ１，Ｖｏ２についての仕様上の出力保持時間Ｔｏｈｓを超え、かつ設計上の出力保持時間最小値Ｔｏｈｄｍｉｎ未満の長さ（つまり、出力保持時間Ｔｏｈｓ＜遮断基準時間ｔｒｅｆ＜出力保持時間最小値Ｔｏｈｄｍｉｎという関係が成り立つ時間）に規定しておく。なお、この各直流出力電圧Ｖｏ１，Ｖｏ２についての出力保持時間とは、入力電圧Ｖｉが遮断されたとしても、この遮断の時間（遮断時間）がこの出力保持時間以下であれば、コンバータ部９が、各直流出力電圧Ｖｏ１，Ｖｏ２の電圧値を定格出力電圧値に維持し得る時間である。そして、設計上の出力保持時間最小値Ｔｏｈｄｍｉｎとは、電源装置１に使用されている部品のバラツキ等を考慮して算出される出力保持時間についてのワーストケースでの設計値である。また、仕様上の出力保持時間Ｔｏｈｓは、この出力保持時間最小値Ｔｏｈｄｍｉｎ未満の長さの時間であって、かつ出力保持時間最小値Ｔｏｈｄｍｉｎとの間にある程度の余裕を持たせた長さの時間に規定される。したがって、制御部８が、計測している遮断時間ｔ１が遮断基準時間ｔｒｅｆに達する前に遮断検出信号Ｓ１の出力の停止を検出したときに、遮断時間ｔ１の計測を停止すると共に計測していた遮断時間ｔ１の値をリセットして遮断監視処理５０を再開すること（つまり、後述する電圧低下処理６０を実行することなく遮断監視処理５０を再開すること）により、この電源装置１では、コンバータ部９が各直流出力電圧Ｖｏ１，Ｖｏ２の電圧値を定格出力電圧値に維持し得る状態（つまり、入力電圧Ｖｉの遮断時間ｔ１が仕様上の出力保持時間Ｔｏｈｓ以下の場合）において、各アクティブ負荷部１４，１５によって各直流出力電圧Ｖｏ１，Ｖｏ２の電圧値が定格出力電圧値以下に低下させられることが回避されている。
【００４４】
一方、図２に示す遮断期間Ｔ２のときのように、遮断基準時間ｔｒｅｆよりも長く入力電圧Ｖｉが遮断したときには、制御部８は、ステップ５４において遮断検出信号Ｓ１の出力の停止を検出する前に、計測している遮断時間ｔ１が遮断基準時間ｔｒｅｆに達したこと（遮断検出信号Ｓ１の出力時間が遮断基準時間ｔｒｅｆに達したこと）をステップ５３において検出して、図３に示すように、電圧低下処理６０を実行して、ステップ５１に戻り、遮断監視処理５０を再開する。この電圧低下処理６０では、図４に示すように、制御部８は、まず、アクティブ負荷部１３への制御信号Ｓｓ１の出力を開始する（ステップ６１）。これにより、アクティブ負荷部１３は、スイッチ１３ｂのオン状態への移行により、軽負荷状態から重負荷状態に移行させられて、第１補助電圧Ｖｃｃ１の供給ライン間に存在する容量成分（平滑コンデンサ１０を含む）に充電されている電荷を抵抗１３ａで急速に放電して、第１補助電圧Ｖｃｃ１の電圧値を図２に示すように短時間に内部基準電位または内部基準電位の近傍電位まで低下させる第１動作を実行する。また、図２に示すように、第１補助電圧Ｖｃｃ１の電圧値が低下の過程でリセット電圧値Ｖｒｓｔ以下になったときに、コンバータ部９は直流生成動作を停止する。
【００４５】
制御部８は、コンバータ部９での直流生成動作の停止後に、アクティブ負荷部１４，１５への制御信号Ｓｓ２，Ｓｓ３の出力を開始する（ステップ６２）。これにより、各アクティブ負荷部１４，１５は、対応するスイッチ１４ｂ，１５ｂのオン状態への移行により、軽負荷状態から重負荷状態にそれぞれ移行させられて、対応する出力端子３ａ，３ｂ間に存在する容量成分（平滑コンデンサ１１を含む）に充電されている電荷を抵抗１４ａで急速に放電し、また対応する出力端子４ａ，４ｂ間に存在する容量成分（平滑コンデンサ１２を含む）に充電されている電荷を抵抗１５ａで急速に放電して、各直流出力電圧Ｖｏ１，Ｖｏ２の電圧値を図２に示すようにゼロボルトまたはゼロボルト近傍まで短時間で低下させる第２動作をそれぞれ実行する。
【００４６】
本例の電源装置１では、このようにして、コンバータ部９での直流生成動作を停止させた後に、各アクティブ負荷部１４，１５を重負荷状態に移行させて第２動作を実行させることにより、各アクティブ負荷部１４，１５での消費電力を抑えつつ（コンバータ部９での直流生成動作を停止させる前に各アクティブ負荷部１４，１５を重負荷状態に移行させたときの消費電力よりも消費電力を抑えつつ）、各直流出力電圧Ｖｏ１，Ｖｏ２の電圧値をより短時間にゼロボルトまたはゼロボルト近傍まで低下させるようにしている。
【００４７】
なお、制御部８が、コンバータ部９での直流生成動作の停止後に、アクティブ負荷部１４，１５に対して制御信号Ｓｓ２，Ｓｓ３を出力し得る構成にするためには、アクティブ負荷部１３への制御信号Ｓｓ１の出力開始から第１補助電圧Ｖｃｃ１の電圧値がリセット電圧値Ｖｒｓｔまで低下するのに要する時間を予め実験やシミュレーションで算出しておき、少なくともこの時間だけ制御信号Ｓｓ１の出力よりも制御信号Ｓｓ２，Ｓｓ３の出力を遅らせる構成を採用することができる。また、他の構成として、図５に示すように、制御部８が、アクティブ負荷部１３への制御信号Ｓｓ１の出力を開始した後（ステップ６１の実行の後）であって、アクティブ負荷部１４，１５への制御信号Ｓｓ２，Ｓｓ３の出力の開始前に、コンバータ部９からの各直流出力電圧Ｖｏ１，Ｖｏ２の出力が停止したこと（コンバータ部９が停止状態に移行したこと）を直接的に検出する処理を実行して（ステップ７１）、コンバータ部９の停止を確認した後に、各アクティブ負荷部１４，１５への制御信号Ｓｓ２，Ｓｓ３の出力を開始する処理（ステップ６２）を実行する構成を採用することもできる。この場合、制御部８が直接的にコンバータ部９が停止状態に移行したことを検出する手法としては、第１補助電圧Ｖｃｃ１の電圧値を制御部８がモニタしてリセット電圧値Ｖｒｓｔ以下になることを検出する手法や、スイッチ制御回路２２からの駆動信号Ｓｄａ，Ｓｄｂの出力が停止したことを検出する手法を採用することができる。
【００４８】
制御部８は、図４に示す電圧低下処理６０および図５に示す電圧低下処理６０のいずれにおいても、リセット時間ｔｒｓ１（後述の第１リセット最小時間ｔｒｓ１ｍｉｎよりも長い時間）だけ出力した時点で制御信号Ｓｓ１の出力を停止すると共に、リセット時間ｔｒｓ２（後述の第２リセット最小時間ｔｒｓ２ｍｉｎよりも長い時間）だけ出力した時点で制御信号Ｓｓ２，Ｓｓ３の出力を停止して（ステップ６３）、つまり、図２に示すようにリセット時間ｔｒｓ１だけアクティブ負荷部１３を重負荷状態に移行させると共に、リセット時間ｔｒｓ２だけアクティブ負荷部１４，１５を重負荷状態に移行させて、電圧低下処理６０を完了させる。ここで、図２に示すように、第１リセット最小時間ｔｒｓ１ｍｉｎとは、アクティブ負荷部１３が第１動作を実行して、第１補助電圧Ｖｃｃ１の電圧値を内部基準電位または内部基準電位の近傍電位まで低下させるのに最低限必要とされる時間を意味し、第２リセット最小時間ｔｒｓ２ｍｉｎとは、アクティブ負荷部１４，１５が第２動作を実行して、各直流出力電圧Ｖｏ１，Ｖｏ２の電圧値をゼロボルトまたはゼロボルト近傍まで低下させるのに最低限必要とされる時間を意味している。本例では、制御部８は、制御信号Ｓｓ２，Ｓｓ３を制御信号Ｓｓ１の出力から若干遅延させて出力することにより、図２に示すように、アクティブ負荷部１３の重負荷状態への移行から若干遅延させてアクティブ負荷部１４，１５を重負荷状態に移行させると共に、第１リセット最小時間ｔｒｓ１ｍｉｎおよび第２リセット最小時間ｔｒｓ２ｍｉｎが共に経過した後に到来する次の入力電圧Ｖｉの復電のタイミングと同じタイミングで各制御信号Ｓｓ１，Ｓｓ２，Ｓｓ３の出力を停止させることにより、図２に示すように、各アクティブ負荷部１３，１４，１５を重負荷状態から軽負荷状態に同じタイミングで移行させる。なお、各制御信号Ｓｓ１，Ｓｓ２，Ｓｓ３の出力を停止させるタイミング（つまり、各アクティブ負荷部１３，１４，１５を軽負荷状態に移行させるタイミング）は、上記の例（入力電圧Ｖｉが次に復電するタイミング）に限定されるものではなく、第１リセット最小時間ｔｒｓ１ｍｉｎの経過時および第２リセット最小時間ｔｒｓ２ｍｉｎの経過時のうちのいずれか遅い時から予め規定された一定時間が経過した時点とすることもできる。この構成を採用した場合には、制御部８は、電圧低下処理６０の実行中（第１リセット最小時間ｔｒｓ１ｍｉｎおよび第２リセット最小時間ｔｒｓ２ｍｉｎの双方が経過する前）に入力電圧Ｖｉが復電したときでも、この電圧低下処理６０を必ず完了させる（つまり、アクティブ負荷部１３を重負荷状態に移行させて第１補助電圧Ｖｃｃ１の電圧値を内部基準電位または内部基準電位の近傍電位まで低下させると共に、アクティブ負荷部１４，１５を重負荷状態に移行させて各直流出力電圧Ｖｏ１，Ｖｏ２の電圧値をゼロボルトまたはゼロボルト近傍まで低下させた後に、各アクティブ負荷部１３，１４，１５を軽負荷状態に移行させる処理を必ず実行する）。
【００４９】
なお、第２補助電源部６については、第２補助電圧Ｖｃｃ２についての保持時間ｔｈ（入力電圧Ｖｉの遮断状態において第２補助電圧Ｖｃｃ２の電圧値をしきい値電圧値Ｖｔｈ以上に保持し得る時間）は、図２に示すように、遮断基準時間ｔｒｅｆにリセット時間ｔｒｓ１を加えた時間よりも長くなるように構成されている。このため、制御部８は、各直流出力電圧Ｖｏ１，Ｖｏ２の電圧値がゼロボルトまたはゼロボルト近傍までに低下するまで第２補助電圧Ｖｃｃ２の供給を受けて動作して、電圧低下処理６０を確実に実行可能となっている。
【００５０】
この電源装置１では、上記の遮断期間Ｔ２のように、遮断基準時間ｔｒｅｆ以上の長さの遮断が入力電圧Ｖｉに発生したことを制御部８が遮断検出部７を介して検出したときに、制御部８が、電圧低下処理６０を実行することにより、コンバータ部９を動作させるための第１補助電圧Ｖｃｃ１についてアクティブ負荷部１３を重負荷状態に移行させて内部基準電位（内部グランドＧの電位）または内部基準電位の近傍電位に低下させる（アクティブ負荷部１３に第１動作を実行させる）と共に、アクティブ負荷部１４，１５を重負荷状態に移行させて各直流出力電圧Ｖｏ１，Ｖｏ２の電圧値をゼロボルトまたはゼロボルト近傍までに低下させる（アクティブ負荷部１４，１５に第２動作を実行させる）。このため、図２に示すように、遮断期間Ｔ２が終了して入力電圧Ｖｉが復電したときに、第１補助電圧Ｖｃｃ１がこの入力電圧Ｖｉの復電の時点を起点として入力電圧Ｖｉの初期投入時と同様にして内部基準電位または内部基準電位の近傍電位から立ち上がるため、この第１補助電圧Ｖｃｃ１の供給を受けて動作するコンバータ部９もまた入力電圧Ｖｉの初期投入時と同様にして動作し始め、これにより、コンバータ部９において生成される各直流出力電圧Ｖｏ１，Ｖｏ２も入力電圧Ｖｉの復電の時点を起点として入力電圧Ｖｉの初期投入時と同じタイミングでゼロボルトまたはゼロボルト近傍から立ち上がる。
【００５１】
また、この電源装置１では、図示はしないが、上記したように、制御部８は電圧低下処理６０の実行を開始した後は、この電圧低下処理６０の完了前に（つまり、第１リセット最小時間ｔｒｓ１ｍｉｎおよび第２リセット最小時間ｔｒｓ２ｍｉｎの双方が経過する前に）入力電圧Ｖｉが復電した場合でも、電圧低下処理６０を最後まで実行して、第１補助電圧Ｖｃｃ１を内部基準電位（内部グランドＧの電位）または内部基準電位の近傍電位まで低下させると共に、各直流出力電圧Ｖｏ１，Ｖｏ２の電圧値についてもゼロボルトまたはゼロボルト近傍までに低下させる。このため、この場合には、第１補助電圧Ｖｃｃ１は、制御部８が電圧低下処理６０の最後に各制御信号Ｓｓ１，Ｓｓ２，Ｓｓ３の出力を停止した時点（つまり、各アクティブ負荷部１３，１４，１５が重負荷状態から軽負荷状態に移行した時点）を起点として、入力電圧Ｖｉの初期投入時と同様にして内部基準電位または内部基準電位の近傍電位から立ち上がる。また、この第１補助電圧Ｖｃｃ１の供給を受けて動作するコンバータ部９もこの各制御信号Ｓｓ１，Ｓｓ２，Ｓｓ３の出力が停止された時点を基準として入力電圧Ｖｉの初期投入時と同様にして動作し始めることから、コンバータ部９において生成される各直流出力電圧Ｖｏ１，Ｖｏ２もこの時点を起点として入力電圧Ｖｉの初期投入時と同じタイミングでゼロボルトまたはゼロボルト近傍から立ち上がる。
【００５２】
このように、この電源装置１では、制御部８が遮断検出信号Ｓ１が遮断基準時間ｔｒｅｆ以上連続して出力されていること（入力電圧Ｖｉが遮断基準時間ｔｒｅｆ以上遮断されていること）を検出したときに、アクティブ負荷部１３を軽負荷状態から重負荷状態に移行させる（アクティブ負荷部１３に第１動作を実行させる）と共にアクティブ負荷部１４，１５を軽負荷状態から重負荷状態にそれぞれ移行させる（アクティブ負荷部１４，１５に第２動作を実行させる）ことにより、具体的には、アクティブ負荷部１３に第１動作を実行させて第１補助電圧Ｖｃｃ１を内部基準電位または内部基準電位の近傍電位まで低下（リセット電圧値Ｖｒｓｔ以下に低下）させた後にアクティブ負荷部１４，１５に第２動作を実行させて各直流出力電圧Ｖｏ１，Ｖｏ２をゼロボルトまたはゼロボルト近傍まで低下させ、その後に、アクティブ負荷部１３，１４，１５を軽負荷状態に移行させる。また、この電源装置１では、遮断基準時間ｔｒｅｆは、仕様上の出力保持時間Ｔｏｈｓを超え、かつ出力保持時間最小値Ｔｏｈｄｍｉｎ未満の長さに規定されている。
【００５３】
したがって、この電源装置１によれば、直流出力電圧Ｖｏ１，Ｖｏ２についての仕様上の出力保持時間Ｔｏｈｓを超える長さの遮断が入力電圧Ｖｉに発生した場合に、直流出力電圧Ｖｏ１，Ｖｏ２を一度確実にゼロボルトまたはゼロボルト近傍まで低下させ、その後の入力電圧Ｖｉの復電時において、入力電圧Ｖｉの初期投入時のときと同じタイミング（同じ出力開始特性）でゼロボルトまたはゼロボルト近傍から直流出力電圧Ｖｏ１，Ｖｏ２の出力を開始させることができる。これにより、直流出力電圧Ｖｏ１，Ｖｏ２についての仕様上の出力保持時間Ｔｏｈｓを超える長さの遮断が入力電圧Ｖｉに発生した場合に、従来の電源装置では、直流出力電圧Ｖｏ１，Ｖｏ２が定格電圧値範囲を一旦下回る状態となった後に、ゼロボルトまたはゼロボルト近傍まで低下することなく中途半端な電圧値から再度定格電圧値範囲に復帰するという事態（ディップ。図２において破線で示すように、電圧が一時的に低下する状態）が発生していたのに対して、この電源装置１によれば、このような事態の発生を回避することができるため、電源装置１に接続されて直流出力電圧Ｖｏ１，Ｖｏ２の供給を受けて動作する電子機器装置などがディップの発生に起因して動作不良や誤動作を発生するといった事態の発生を確実に防止することができる。
【００５４】
また、この電源装置１において、図５に示すように、電圧低下処理６０において、アクティブ負荷部１３への制御信号Ｓｓ１の出力後（アクティブ負荷部１３に第１動作の実行を開始させた後）に、コンバータ部９が動作状態から停止状態に移行したか否かを検出しつつ（ステップ７１）、コンバータ部９が停止状態に移行したこと（コンバータ部９の停止）を検出（確認）した後にアクティブ負荷部１４，１５に制御信号Ｓｓ２，Ｓｓ３を出力する（アクティブ負荷部１４，１５に第２動作を実行させる）構成を採用することにより、コンバータ部９が直流出力電圧Ｖｏ１，Ｖｏ２の出力を停止する前に各アクティブ負荷部１４，１５が重負荷状態に移行するといった事態の発生を確実に回避することができるため、上記の効果に加えて、各アクティブ負荷部１４，１５での消費電力を抑えつつ、各直流出力電圧Ｖｏ１，Ｖｏ２の電圧値をより短時間にゼロボルトに低下させることができる。
【００５５】
なお、上記の電源装置１では、制御部８は、電圧低下処理６０において、アクティブ負荷部１３に制御信号Ｓｓ１を出力して第１動作を実行させて、第１補助電圧Ｖｃｃ１を内部基準電位または内部基準電位の近傍電位まで低下（コンバータ部９のリセット電圧値Ｖｒｓｔ以下に低下）させることで、コンバータ部９による直流生成動作を停止させるようにしているが、例えば、コンバータ部９（具体的には、そのスイッチ制御回路２２）を外部からの制御信号によって直流生成動作の開始および停止を制御し得る（停止状態および動作状態のいずれかの状態に任意に移行させ得る）構成として、制御部８が、各アクティブ負荷部１４，１５に制御信号Ｓｓ２，Ｓｓ３を出力して重負荷状態に移行させる（第２動作を実行させる）際に、コンバータ部９に対して直流生成動作を強制的に停止させる（停止状態に移行させる）制御信号を出力する構成を採用することもできる。この構成を採用することにより、第１補助電圧Ｖｃｃ１がコンバータ部９のリセット電圧値Ｖｒｓｔ以下に低下する（第１補助電圧Ｖｃｃ１の低下に起因してコンバータ部９が停止状態に移行する）前の段階においてもコンバータ部９に対して直流生成動作を強制的に停止させる（停止状態に移行させる）ことができるため、各アクティブ負荷部１４，１５をより早い時点で重負荷状態に移行させることができる結果、各直流出力電圧Ｖｏ１，Ｖｏ２の電圧値をより短時間にゼロボルトに低下させることができる。
【００５６】
また、上記の電源装置１では、制御部８は、電圧低下処理６０において、第１補助電源部５に対する制御については何ら実行していないが、例えば、第１補助電源部５が外部からの制御信号によって第１補助電圧Ｖｃｃ１を生成する動作状態および第１補助電圧Ｖｃｃ１の生成を停止する停止状態のいずれかの状態に任意に移行し得る構成（第１補助電圧Ｖｃｃ１の生成の開始および停止を外部から制御し得る構成）として、制御部８が、アクティブ負荷部１３に制御信号Ｓｓ１を出力して重負荷状態に移行させる際に、第１補助電源部５に対して第１補助電圧Ｖｃｃ１の生成動作を強制的に停止させる（停止状態に移行させる）制御信号を出力する構成を採用することもできる。この構成を採用することにより、第１補助電源部５に対して第１補助電圧Ｖｃｃ１の生成動作を停止させた後にアクティブ負荷部１３を重負荷状態に移行させることができることから、第１補助電源部５やアクティブ負荷部１３での消費電力を抑えつつ、第１補助電圧Ｖｃｃ１をより短時間に内部基準電位または内部基準電位の近傍電位まで低下させることができる。
【００５７】
また、上記の電源装置１では、コンバータ部９が２種の直流出力電圧Ｖｏ１，Ｖｏ２を生成して出力する構成のため、直流出力電圧Ｖｏ１，Ｖｏ２用の２つのアクティブ負荷部１４，１５を備える構成を採用しているが、コンバータ部９が１種の直流出力電圧を生成して出力する構成のときには、この直流出力電圧用の１つのアクティブ負荷部を備える構成とし、またコンバータ部９が３種以上の直流出力電圧を生成して出力する構成のときには、直流出力電圧の種類と同数のアクティブ負荷部を備える構成とする。
【００５８】
また、上記の電源装置１では、アクティブ負荷部１４，１５を同じリセット時間ｔｒｓ２だけ第２動作を実行させる（重負荷状態に移行させる）構成を採用しているが、例えば、出力端子３ａ，３ｂ間に存在する容量成分（平滑コンデンサ１１を含む）の容量値と、出力端子４ａ，４ｂ間に存在する容量成分（平滑コンデンサ１２を含む）の容量値とが、大きく異なることに起因して、アクティブ負荷部１４，１５に第２動作の実行を開始させてから、直流出力電圧Ｖｏ１，Ｖｏ２の各電圧値がゼロボルトまたはゼロボルト近傍まで低下するのに要する時間に差が生じるときには、アクティブ負荷部１４，１５のうちの容量値の大きな容量成分が存在する出力端子間に接続されたアクティブ負荷部を他のアクティブ負荷部よりもこの差の分だけ早く第２動作を開始させるようにして（リセット時間ｔｒｓ２を異ならしめて）、直流出力電圧Ｖｏ１，Ｖｏ２の各電圧値を同じタイミングでゼロボルトまたはゼロボルト近傍まで低下させるようにすることもできるし、直流出力電圧Ｖｏ１，Ｖｏ２の各電圧値が異なる場合は、抵抗１４ａと１５ａの定数を変えてアクティブ負荷部１４，１５の各放電スピードを調整することもできる。
【符号の説明】
【００５９】
１  電源装置
５  第１補助電源部
６  第２補助電源部
７  遮断検出部
８  制御部
９  コンバータ部
１３，１４，１５  アクティブ負荷部
Ｇ  内部基準電位
Ｖｃｃ１  第１補助電圧
Ｖｃｃ２  第２補助電圧
Ｖｉ  入力電圧
Ｖｏ１，Ｖｏ２  直流出力電圧
【図１】
0006665653.tif 000002
【図２】
0006665653.tif 000003
【図３】
0006665653.tif 000004
【図４】
0006665653.tif 000005
【図５】
0006665653.tif 000006